(57)【要約】【課題】集約モードで行われるテスト印刷で得られる印刷物の出力結果がユーザーにとって判別し難くなるのを抑制する。【解決手段】画像形成装置は、テスト印刷として第１テスト印刷および第２テスト印刷を行い、第１テスト印刷を行うとき、印刷データの第１集約数分のページを１ページに集約した第１ページおよび印刷データの第２集約数分のページを１ページに集約した第２ページを生成し、第１ページを用紙の第１面に印刷するとともに、第２ページを第１面とは逆の第２面に印刷し、第１テスト印刷が終わった後、第１集約数および第２集約数のうちユーザー所望の集約数を判断する集約数判断処理を行い、第２テスト印刷の集約数をユーザー所望の集約数に設定する。【選択図】図２
2019171775.tif 000002
【特許請求の範囲】
【請求項１】
印刷データに基づき印刷を行う印刷部と、
前記印刷部を制御する制御部と、を備え、
前記制御部は、前記印刷データに基づく通常の印刷に先立って前記印刷部にテスト印刷を行わせるとき、前記印刷データの複数ページを１ページに集約する集約モードで前記印刷データの一部のページを用紙に印刷する第１テスト印刷を前記印刷部に行わせるとともに、前記第１テスト印刷が終わってから、前記集約モードで前記印刷データの全部のページを用紙に印刷する第２テスト印刷を前記印刷部に行わせ、
前記制御部は、前記印刷部に前記第１テスト印刷を行わせるとき、第１集約数および前記第１集約数とは異なる第２集約数を設定するとともに、前記印刷データの前記第１集約数分のページを１ページに集約した第１ページおよび前記印刷データの前記第２集約数分のページを１ページに集約した第２ページを生成し、前記第１ページを用紙の第１面に印刷させるとともに、前記第２ページを前記第１面とは逆の第２面に印刷させ、
前記制御部は、前記第１テスト印刷が終わった後、前記第１集約数および前記第２集約数のうちユーザー所望の集約数を判断する集約数判断処理を行い、前記第２テスト印刷の集約数を前記ユーザー所望の集約数に設定することを特徴とする画像形成装置。
【請求項２】
前記制御部は、前記印刷データから所定条件を満たす条件充足ページを抽出し、前記第１集約数分の前記条件充足ページを１ページに集約した前記第１ページおよび前記第２集約数分の前記条件充足ページを１ページに集約した前記第２ページを生成することを特徴とする請求項１に記載の画像形成装置。
【請求項３】
前記制御部は、前記印刷データから、図形を含むページ、予め定められた閾値数よりも多い数の文字を含むページ、および、予め定められた閾値サイズよりも小さいサイズの文字を含むページのうち少なくとも１つを前記条件充足ページとして抽出することを特徴とする請求項２に記載の画像形成装置。
【請求項４】
撮影を行うカメラを備え、
前記制御部は、前記第１テスト印刷が終わった後、前記第１テスト印刷で得られた第１テスト印刷物の確認を行っているユーザーが前記カメラで撮影されると、前記第１テスト印刷物の確認を行っているユーザーの表情または行動を認識し、当該認識した結果に基づき前記ユーザー所望の集約数を判断する処理を前記集約数判断処理として行うことを特徴とする１〜３のいずれか１項に記載の画像形成装置。
【請求項５】
前記制御部は、前記第１テスト印刷物の確認を行っているユーザーが前記カメラで撮影されてからの経過時間が所定時間に達するまで、前記第１テスト印刷物の確認を行っているユーザーが前記第１面を見ていた第１時間と前記第２面を見ていた第２時間とを計測し、前記第１時間の方が前記第２時間よりも長かった場合には前記ユーザー所望の集約数が前記第１集約数であると判断する一方、前記第２時間の方が前記第１時間よりも長かった場合には前記ユーザー所望の集約数が前記第２集約数であると判断することを特徴とする請求項４に記載の画像形成装置。
【請求項６】
前記制御部は、前記第１面および前記第２面のうち一方がランドスケープ形式となり他方がポートレート形式となるよう前記第１ページおよび前記第２ページを生成し、
前記制御部は、前記カメラで撮影されている前記第１テスト印刷物の向きを認識し、前記第１テスト印刷物の向きに基づき、前記第１テスト印刷物の確認を行っているユーザーが前記第１面を見ているか前記第２面を見ているかを判断することを特徴とする請求項５に記載の画像形成装置。
【請求項７】
操作パネルを備え、
前記制御部は、前記カメラが撮影した撮影データからでは前記ユーザー所望の集約数を判断できなかったとき、集約数の入力の受け付けを前記操作パネルに行わせ、前記操作パネルに入力された集約数を前記第２テスト印刷の集約数に設定することを特徴とする請求項４〜６のいずれか１項に記載の画像形成装置。
【請求項８】
画像形成装置は複数のユーザーにより使用され、
前記画像形成装置のユーザーごとに、ユーザーとユーザーの特徴点とを対応付けて記憶する記憶部を備え、
前記制御部は、前記印刷データに基づく印刷を要求した要求ユーザーを認識し、前記要求ユーザーに対応する前記特徴点に基づき前記第１テスト印刷物の確認を行っているユーザーが前記要求ユーザーであると判断した場合にのみ前記集約数判断処理を行うことを特徴とする請求項４〜７のいずれか１項に記載の画像形成装置。
【請求項９】
前記制御部は、前記第２テスト印刷が終わった後、前記印刷データに基づく前記通常の印刷を開始する開始条件を満たしているか否かを判断し、前記開始条件を満たしていると判断したとき、前記印刷部に前記通常の印刷を開始させる一方、前記開始条件を満たしていないと判断したとき、前記印刷部に前記通常の印刷を開始させないことを特徴とする請求項１〜８のいずれか１項に記載の画像形成装置。
【請求項１０】
撮影を行うカメラを備え、
前記制御部は、前記第２テスト印刷が終わった後、前記第２テスト印刷で得られた第２テスト印刷物の確認を行っているユーザーが前記カメラで撮影されると、前記第２テスト印刷物の確認を行っているユーザーの表情または行動を認識するとともに、当該認識した結果に基づき、前記第２テスト印刷物の確認を行っているユーザーが前記第２テスト印刷物の出力結果に満足しているか否かを判断し、前記第２テスト印刷物の出力結果に満足していると判断した場合に前記開始条件を満たしていると判断し、前記第２テスト印刷物の出力結果に満足していないと判断した場合に前記開始条件を満たしていないと判断することを特徴とする請求項９に記載の画像形成装置。
【請求項１１】
撮影を行うカメラを備え、
前記制御部は、前記印刷データに基づく前記通常の印刷を前記集約モードで前記印刷部に行わせているときに、前記通常の印刷で得られた通常印刷物の確認を行っているユーザーが前記カメラで撮影されると、前記通常印刷物の確認を行っているユーザーの表情または行動を認識するとともに、当該認識した結果に基づき、前記通常印刷物の確認を行っているユーザーが前記通常印刷物の出力結果に満足しているか否かを判断し、前記通常印刷物の出力結果に満足していないと判断したとき、前記通常の印刷を一時停止させることを特徴とする請求項１〜１０のいずれか１項に記載の画像形成装置。
【請求項１２】
予め定められた複数の集約数のうちユーザー指定の集約数の入力を受け付ける操作パネルを備え、
前記制御部は、前記通常の印刷を一時停止させたとき、前記ユーザー指定の集約数の入力の受け付けを前記操作パネルに行わせ、前記印刷部に行わせる前記通常の印刷の集約数を前記ユーザー指定の集約数に変更することを特徴とする請求項１１に記載の画像形成装置。
【請求項１３】
前記制御部は、前記ユーザー指定の集約数の入力の受け付けを前記操作パネルに行わせるとき、前記印刷データからサイズが最も小さい文字を対象文字として認識し、前記集約モードで印刷を行った場合に用紙に印刷される前記対象文字のサイズを前記複数の集約数のそれぞれごとに求め、当該求めた各サイズにそれぞれ対応する複数の前記対象文字のプレビュー画像を生成して前記操作パネルに表示させることを特徴とする請求項１２に記載の画像形成装置。
【請求項１４】
前記制御部は、一時停止させた前記通常の印刷を最初から再開するか未印刷ページから再開するかの設定の受け付けを前記操作パネルに行わせることを特徴とする請求項１１〜１３のいずれか１項に記載の画像形成装置。
【発明の詳細な説明】
【技術分野】
【０００１】
本発明は、印刷を行う画像形成装置に関する。
【背景技術】
【０００２】
画像形成装置に印刷を行わせるとき、ユーザーは画像形成装置に印刷対象の印刷データを入力する。たとえば、ユーザー端末（パーソナルコンピューターなど）から画像形成装置に印刷データが送信され、ユーザー端末からの印刷データが画像形成装置に入力される。そして、画像形成装置は、印刷データに付随する印刷条件に従って、印刷データに基づく印刷（以下、当該印刷を通常の印刷と称する）を行う。
【０００３】
ここで、画像形成装置には、テスト印刷（お試し印刷）を行う機能が搭載されたものがある。このような機能が搭載された画像形成装置は、たとえば、特許文献１に開示されている。特許文献１の画像形成装置では、印刷データの一部のページだけの印刷がテスト印刷として行われる。これにより、印刷データの全部のページの印刷前に、ユーザーは自身が設定した印刷条件に不備があるか否かなどの事前確認（テスト印刷で得られる印刷物の出力結果の確認）を行うことができる。
【先行技術文献】
【特許文献】
【０００４】
【特許文献１】特開２０１５−５８５８７号公報
【発明の概要】
【発明が解決しようとする課題】
【０００５】
画像形成装置によっては、印刷データの複数ページを１ページに集約する集約モードでテスト印刷（お試し印刷）が行われる。集約モードでテスト印刷が行われることにより、用紙の消費量が増大するのを抑制することができる。
【０００６】
しかし、集約モードでテスト印刷が行われた場合、テスト印刷で得られる印刷物の文字などのサイズが小さくなる。したがって、テスト印刷を行ったにもかかわらず、テスト印刷で得られた印刷物の出力結果の判別が困難となり、事前確認を効率的に行えないという不都合が生じ得る。
【０００７】
本発明は、上記課題を解決するためになされたものであり、集約モードで行われるテスト印刷で得られる印刷物の出力結果がユーザーにとって判別し難くなるのを抑制することが可能な画像形成装置を提供することを目的とする。
【課題を解決するための手段】
【０００８】
上記目的を達成するために、本発明の画像形成装置は、印刷データに基づき印刷を行う印刷部と、印刷部を制御する制御部と、を備える。制御部は、印刷データに基づく通常の印刷に先立って印刷部にテスト印刷を行わせるとき、印刷データの複数ページを１ページに集約する集約モードで印刷データの一部のページを用紙に印刷する第１テスト印刷を印刷部に行わせるとともに、第１テスト印刷が終わってから、集約モードで印刷データの全部のページを用紙に印刷する第２テスト印刷を印刷部に行わせる。制御部は、印刷部に第１テスト印刷を行わせるとき、第１集約数および第１集約数とは異なる第２集約数を設定するとともに、印刷データの第１集約数分のページを１ページに集約した第１ページおよび印刷データの第２集約数分のページを１ページに集約した第２ページを生成し、第１ページを用紙の第１面に印刷させるとともに、第２ページを第１面とは逆の第２面に印刷させる。制御部は、第１テスト印刷が終わった後、第１集約数および第２集約数のうちユーザー所望の集約数を判断する集約数判断処理を行い、第２テスト印刷の集約数をユーザー所望の集約数に設定する。
【０００９】
本発明の構成では、テスト印刷として、第１テスト印刷および第２テスト印刷が行われる。第１テスト印刷が終わると、ユーザー所望の集約数を判断する集約数判断処理が行われ、第２テスト印刷の集約数がユーザー所望の集約数に設定される。このため、第２テスト印刷で得られる印刷物の文字などのサイズ（１ページに集約される各ページのサイズ）がユーザー所望のサイズになる。これにより、テスト印刷を行ったにもかかわらず、テスト印刷で得られた印刷物の出力結果がユーザーにとって判別し難くなる、という不都合が生じるのを抑制することができる。すなわち、事前確認を効率的に行えないという不都合が生じるのを抑制することができる（第２テスト印刷で得られた印刷物の出力結果を基に事前確認を行えばよい）。
【００１０】
また、本発明の構成では、用紙の第１面に第１ページを印刷し用紙の第２面に第２ページを印刷する両面印刷が第１テスト印刷として行われるので、用紙の消費量が増大するのを抑制することができる。
【発明の効果】
【００１１】
本発明の構成では、集約モードで行われるテスト印刷で得られる印刷物の出力結果がユーザーにとって判別し難くなるのを抑制することができる。
【図面の簡単な説明】
【００１２】
【図１】本発明の一実施形態による画像形成装置の構成を示すブロック図
【図２】本発明の一実施形態による画像形成装置の制御部が行うテスト印刷時の処理の流れを示すフローチャート
【図３】本発明の一実施形態による画像形成装置から出力される第１テスト印刷物の表裏面を示す図
【図４】本発明の一実施形態による画像形成装置から出力される第２テスト印刷物を示す図
【図５】本発明の一実施形態による画像形成装置の制御部が行う再設定受付処理の流れを示すフローチャート
【図６】本発明の一実施形態による画像形成装置の操作パネルが表示する受付画面を示す図
【発明を実施するための形態】
【００１３】
＜画像形成装置の構成＞
図１に示すように、本実施形態の画像形成装置１００は、制御部１を備える。制御部１は、ＣＰＵ１１、メモリー１２、画像処理モジュール１３およびプレビュー画像生成モジュール１４を含む。ＣＰＵ１１は、制御用のプログラムおよびデータに基づき動作し、画像形成装置１００の各部を制御するための処理を行う。メモリー１２は、ＣＰＵ１１を動作させるための制御用のプログラムおよびデータを記憶する。
【００１４】
画像処理モジュール１３は、種々の画像処理を行うための専用回路やメモリーを含む。制御部１は、画像処理モジュール１３を用い画像処理を行う。プレビュー画像生成モジュール１４は、プレビュー画像（プレビュー用の表示データ）を生成するプレビュー処理を行うための専用回路やメモリーを含む。制御部１は、プレビュー画像生成モジュール１４を用いてプレビュー処理を行う。
【００１５】
また、画像形成装置１００は、画像読取部２および印刷部３を備える。
【００１６】
画像読取部２は、コピージョブの実行時、原稿を読み取り印刷データ（原稿の画像データ）を生成する。画像読取部２は、読取ユニット２１を備える。読取ユニット２１は、光源およびイメージセンサーを含む。光源は、原稿に光を照射する。イメージセンサーは、原稿で反射された反射光を受光し光電変換する。
【００１７】
印刷部３は、コピージョブなど用紙への画像の印刷を伴うジョブ（以下、印刷ジョブと称する）の実行時、印刷データに基づき印刷を行う。具体的には、印刷部３は、用紙を搬送するとともに、画像を形成し、搬送中の用紙に画像を印刷する。印刷部３による印刷で得られた印刷物（印刷済みの用紙）は排出トレイに排出される。なお、印刷部３は、同一用紙の両面に画像を印刷する両面印刷の実行が可能である。印刷部３は、画像形成ユニット３１および定着ユニット３２を備える。
【００１８】
画像形成ユニット３１は、感光体ドラムおよび転写ローラーを備える。感光体ドラムおよび転写ローラーは、互いに圧接し、転写ニップを形成する。また、画像形成ユニット３１は、感光体ドラムの周面を帯電させる帯電装置、感光体ドラムの周面上に静電潜像を形成する露光装置、および、感光体ドラムの周面上の静電潜像をトナー像に現像する現像装置などを備える。画像形成ユニット３１は、転写ニップを通過する用紙に対して、感光体ドラムの周面上のトナー像を転写する。
【００１９】
定着ユニット３２は、加熱ローラーおよび加圧ローラーを備える。加熱ローラーは、ヒーターを内蔵する。加圧ローラーは、加熱ローラーに圧接し、加熱ローラーとの間で定着ニップを形成する。定着ユニット３２は、定着ニップを通過する用紙を加熱および加圧することにより、用紙にトナー像を定着させる。
【００２０】
画像読取部２および印刷部３は、制御部１に接続される。制御部１は、画像読取部２の読取動作を制御するとともに、印刷部３の印刷動作を制御する。
【００２１】
また、画像形成装置１００は、操作パネル４を備える。操作パネル４は、タッチスクリーン４１およびハードウェアボタン４２を含む。タッチスクリーン４１は、種々の画面を表示し、表示画面に対するタッチ操作をユーザーから受け付ける。ハードウェアボタン４２は、操作パネル４に複数設けられる。操作パネル４は、制御部１に接続される。制御部１は、操作パネル４の表示動作を制御するとともに、操作パネル４に対して行われた操作を検知する。
【００２２】
たとえば、操作パネル４には、ハードウェアボタン４２としてスタートボタンが設けられる。制御部１は、画像読取部１に原稿がセットされた状態で、操作パネル４のスタートボタンに対する操作を検知すると、コピージョブの実行要求（印刷要求）をユーザーから受け付けたと判断する。
【００２３】
また、画像形成装置１００は、通信部５を備える。通信部５は、画像形成装置１００をＬＡＮなどのネットワークＮＴに接続するための通信インターフェースである。通信部５は、通信用回路、通信用メモリーおよび通信用コネクターを含む。通信部５は、制御部１に接続される。制御部１は、通信部５を用いて、ネットワークＮＴに接続された外部機器と通信する。
【００２４】
たとえば、ネットワークＮＴには、画像形成装置１００のユーザーが使用するユーザー端末２００（パーソナルコンピューターやスマートフォンなど）が接続される。画像形成装置１００がプリンターとして使用される場合には、印刷ジョブの印刷データ（ＰＤＦデータなど）や印刷要求を含むジョブデータがユーザー端末２００から画像形成装置１００に送信される。制御部１は、通信部５がジョブデータを受信すると、通信部５が印刷要求をユーザーから受け付けたと判断する。そして、制御部１は、印刷データに基づく印刷を印刷部３に行わせる。なお、印刷データには、ユーザーが設定した印刷条件（用紙サイズなど）を示す設定データが付随される。制御部１は、印刷データに基づく印刷を印刷部３に行わせるとき、印刷データに付随する設定データに基づき印刷条件を設定する（当該設定した印刷条件で印刷データに基づく印刷を印刷部３に行わせる）。
【００２５】
また、画像形成装置１００は、記憶部６を備える。記憶部６は、ＲＯＭ（ＥＥＰＲＯＭなど）やＨＤＤのような不揮発性の記憶デバイスを含む。記憶部６は、制御部１に接続される。制御部１は、記憶部６からのデータの読み出しを行うとともに、記憶部６へのデータの書き込みを行う。
【００２６】
たとえば、画像形成装置１００は複数のユーザーにより使用される。そして、ユーザーごとに、ユーザーとユーザーの特徴点（ユーザーの顔画像など）とを対応付けた情報が記憶部６に記憶される。また、記憶部６には、ユーザーごとに、ユーザーに関するユーザー情報が記憶される。特に限定されないが、ユーザー情報には、対応するユーザーが第１ユーザーであるか第２ユーザーであるかを示す情報が含められる。たとえば、視力に不安のあるユーザーや高齢のユーザーが第１ユーザーに分類され、他のユーザーが第２ユーザーに分類される。
【００２７】
ここで、画像形成装置１００は、カメラ７を備える。カメラ７は、画像形成装置１００の正面前方が撮影範囲となるよう画像形成装置１００の正面に設置される。カメラ７は、撮影で得られた撮影データを出力する。たとえば、画像形成装置１００の排出トレイに排出された印刷物をユーザーが取り出し、カメラ７の撮影範囲で印刷物の確認を行っている場合、印刷物の確認を行っているユーザーがカメラ７で撮影される。
【００２８】
カメラ７は、制御部１に接続される。制御部１は、カメラ７の撮影動作を制御する。制御部１は、カメラ７が撮影した撮影データに基づき、カメラ７の撮影範囲にユーザーが存在するか否を判断する。また、制御部１は、カメラ７が撮影した撮影データに基づき、カメラ７の撮影範囲に存在するユーザーの表情や行動を認識する（後述する集約数判断処理を行う）。
【００２９】
＜テスト印刷機能＞
画像形成装置１００にはテスト印刷機能（お試し印刷機能）が搭載される。テスト印刷機能を有効に設定するには、テスト印刷機能を有効に設定する旨のテスト命令をユーザー端末２００から画像形成装置１００に送信するジョブデータ（印刷データ）に含めればよい。テスト命令がジョブデータに含まれている場合、制御部１は、テスト印刷機能を有効に設定する。
【００３０】
たとえば、ユーザー端末２００は、画像形成装置１００へのジョブデータの送信指示をユーザーから受け付けるための画面の表示中、テスト印刷機能を有効にする機能有効指示もユーザーから受け付ける。ユーザー端末２００は、機能有効指示を受け付けてから送信指示を受け付けると、画像形成装置１００に送信するジョブデータにテスト命令を含める。なお、テスト印刷機能の有効／無効の設定は操作パネル４からでも行える。
【００３１】
制御部１は、テスト印刷機能を有効に設定すると、ジョブデータに含まれる印刷データに基づく通常の印刷（印刷データに付随する設定データで示される印刷条件に基づき行われる印刷）に先立ち、まず、印刷データに基づく第１テスト印刷を印刷部３に行わせ、その後、印刷データに基づく第２テスト印刷を印刷部３に行わせる。以下、特に区別する必要がない場合、第１テスト印刷および第２テスト印刷を総じてテスト印刷と称する場合がある。
【００３２】
制御部１は、印刷部３に第１テスト印刷を行わせるとき、印刷モードを印刷データの複数ページを１ページに集約する集約モードに設定する。また、制御部１は、印刷部３に第２テスト印刷を行わせるときにも、印刷モードを集約モードに設定する。なお、印刷部３による第１テスト印刷では、印刷データの一部のページの印刷が行われ、印刷部３による第２テスト印刷では、印刷データの全部のページの印刷が行われる。
【００３３】
画像形成装置１００にてテスト印刷が行われることにより、通常の印刷で得られる予定の印刷物の出力結果を事前に確認することができる。たとえば、ページ抜けの有無の確認や、印刷設定の不備の確認を行える。また、テスト印刷は集約モードで行われるので、用紙の消費量を抑えることができる。
【００３４】
しかし、テスト印刷が集約モードで行われると、テスト印刷で得られた印刷物の文字サイズ（１ページに集約された各ページのサイズ）などが小さくなり過ぎ、印刷物の出力結果の判別が困難になる場合がある。そこで、制御部１は、第１テスト印刷および第２テスト印刷を印刷部３に行わせる。制御部１は、第１テスト印刷を印刷部３に行わせることにより、ユーザー所望の集約数を判断する。そして、制御部１は、第２テスト印刷の集約数をユーザー所望の集約数に設定する。これにより、第２テスト印刷で得られる印刷物の文字サイズなどがユーザーにとって小さ過ぎるという不都合が生じるのを抑制することができる。
【００３５】
以下に、図２に示すフローチャートを参照し、印刷部３によるテスト印刷時に制御部１が行う処理の流れを説明する。図２に示すフローチャートは、印刷要求を受けたと制御部１が判断したときにスタートする。すなわち、ユーザー端末２００から画像形成装置１００に対して印刷ジョブのジョブデータ（印刷対象の印刷データ）が送信され、当該ジョブデータを通信部５が受信したと制御部１が判断したとき、図２に示すフローチャートがスタートする。コピージョブでは、操作パネル４がスタートボタンに対する操作を受け付けた後、画像読取部１にセットされた全原稿の読み取りが完了したとき（印刷対象の印刷データが生成されたとき）、図２に示すフローチャートがスタートする。
【００３６】
ステップＳ１において、制御部１は、第１テスト印刷で用紙に印刷する集約ページ（第１テスト印刷用の集約ページ）のページデータを生成する処理を行う。当該処理を行うとき、制御部１は、まず、用紙の表面（第１面）に集約して印刷するページ数（集約数）を設定するとともに、同一用紙の裏面（第１面とは逆の第２面）に集約して印刷するページ数（集約数）を設定する。なお、用紙の表面に集約印刷するページ数は「第１集約数」に相当し、以下の説明では第１集約数と称する。用紙の裏面に集約印刷するページ数は「第２集約数」に相当し、以下の説明では第２集約数と称する。
【００３７】
たとえば、制御部１は、第１集約数を「２」に設定するとともに、第２集約数を「４」に設定する。第１集約数および第２集約数の各設定値は予め定められ、記憶部６に記憶される。第１集約数および第２集約数の各設定値の変更はユーザーが任意に行うことができる。当該変更は操作パネル４がユーザーから受け付ける。
【００３８】
なお、第１集約数および第２集約数の各設定値は必ず互いに異なる値に設定される。すなわち、第１集約数（第２集約数）が第２集約数（第１集約数）と同値になるよう変更することはできない。たとえば、第１集約数の設定値は「２」で固定され、第２集約数の設定値が「２」よりも多い値に変更することができる。
【００３９】
第１集約数および第２集約数を設定した後、制御部１は、印刷対象の印刷データから、所定条件を満たす条件充足ページを抽出する。たとえば、印刷対象の印刷データの全ページのうち、図形を含むページ（図形ページ）、予め定められた閾値数よりも多い数の文字を含むページ（多文字ページ）、および、予め定められた閾値サイズよりも小さいサイズの文字を含むページ（小文字ページ）のうち、少なくとも１つが条件充足ページとして制御部３により抽出される。そして、制御部１は、第１テスト印刷用の集約ページのページデータとして、第１集約数に対応する表面用ページおよび第２集約数に対応する裏面用ページの各ページデータを生成する。表面用ページは「第１ページ」に相当し、裏面用ページは「第２ページ」に相当する。
【００４０】
制御部３は、表面用ページを生成するとき、２ページ分の条件充足ページを選択する。特に限定されないが、条件充足ページが複数存在する場合には、複数の条件充足ページのうち、ページ番号が若い順に２ページ分の条件充足ページが選択される。あるいは、図形ページ、多文字ページおよび小文字ページのうち２種類以上が複数の条件充足ページの中に混在している場合には、ユーザーにより予め設定された優先種類の条件充足ページが優先的に選択されてもよい。優先種類の設定は操作パネル４がユーザーから受け付ける。２ページ分の条件充足ページを選択した後、制御部１は、当該選択した２ページ分の条件充足ページ（第１集約数分の条件充足ページ）を１ページに集約した集約ページを表面用ページとして生成する。
【００４１】
また、制御部１は、裏面用ページを生成するとき、表面用ページの生成時と同様の方法を用いて、４ページ分の条件充足ページを選択する。たとえば、４ページ分の条件充足ページのうち２ページ分の条件充足ページは表面用ページに集約された条件充足ページと同じである。４ページ分の条件充足ページを選択した後、制御部１は、当該選択した４ページ分の条件充足ページ（第２集約数分の条件充足ページ）を１ページに集約した集約ページを裏面用ページとして生成する。表面用ページには２ページ分の条件充足ページしか集約されないが、裏面用ページには４ページ分の条件充足ページが集約されるので、裏面用ページに集約された４ページ分の条件充足ページの各サイズは表面用ページに集約された２ページ分の条件充足ページの各サイズよりも小さくなる。
【００４２】
なお、印刷対象の印刷データに条件充足ページが存在しない場合には、印刷対象の印刷データのうちページ番号が若い順にページが抽出され、当該抽出されたページが第１テスト印刷用の集約ページに集約されてもよい。
【００４３】
第１テスト印刷用の集約ページの生成後、ステップＳ２において、制御部１は、印刷部３に第１テスト印刷を行わせる。具体的には、制御部１は、用紙の表面（第１面）に表面用ページを印刷させ、同一用紙の裏面（第２面）に裏面用ページを印刷させる。すなわち、制御部１は、第１テスト印刷として両面印刷を印刷部３に行わせる。これにより、図３に示すような印刷物Ｐ１が画像形成装置１００から出力される。第１テスト印刷ではＡ４サイズなど定型サイズの用紙（矩形状の用紙）が使用される。また、第１テスト印刷の印刷枚数は１枚である。以下の説明では、第１テスト印刷で得られる印刷物Ｐ１を第１テスト印刷物Ｐ１と称する。
【００４４】
なお、図３に示すように、第１テスト印刷物Ｐ１の表裏面のうち、表面はランドスケープ形式（印刷物を横向きにした場合に正しい向きとなる形式）となり、裏面はポートレート形式（印刷物を縦向きにした場合に正しい向きとなる形式）となる。すなわち、制御部１により行われる第１テスト印刷用の集約ページの生成処理では、第１テスト印刷物Ｐ１の表裏面のうち、表面がランドスケープ形式となり他方がポートレート形式となるよう表面用ページおよび裏面用ページが生成される。
【００４５】
図２に戻り、印刷部３による第１テスト印刷が終わった後、ステップＳ３に移行する。ステップＳ３に移行すると、制御部１は、第１集約数（第１集約数は「２」である）および第２集約数（第２集約数は「４」である）のうちユーザー所望の集約数を判断する集約数判断処理を行う。
【００４６】
制御部１は、集約数判断処理を行うため、印刷対象の印刷データの印刷を要求したユーザーである要求ユーザーを認識する。たとえば、ユーザー端末２００から画像形成装置１００に送信されるジョブデータにはユーザーＩＤが含まれる。そして、制御部１は、当該ユーザーＩＤに基づき要求ユーザーを認識する。あるいは、制御部１は、印刷要求時に画像形成装置１００にログインしていたユーザーを要求ユーザーと認識する。
【００４７】
そして、制御部１は、画像形成装置１００から第１テスト印刷物Ｐ１が出力されると（第１テスト印刷物Ｐ１が排出トレイに排出されると）、カメラ７が撮影した撮影データに基づき、要求ユーザーが第１テスト印刷物Ｐ１の確認を行っているか否かを判断する。なお、制御部１は、要求ユーザーに対応する顔画像（要求ユーザーの特徴点）と特徴点が類似するユーザーがカメラ７で撮影されており、かつ、当該ユーザーが用紙（用紙に類似するシート状のもの）を手に取っていれば、要求ユーザーが第１テスト印刷物Ｐ１の確認を行っていると判断する。なお、制御部１は、第１テスト印刷物Ｐ１の確認を行っているユーザーがカメラ７で撮影されていても、当該ユーザーが要求ユーザーでなければ、集約集判断処理を行わない。
【００４８】
要求ユーザーが第１テスト印刷物Ｐ１の確認を行っていると判断すると、制御部１は、第１テスト印刷物Ｐ１の確認を行っている要求ユーザーがカメラ７で撮影されてからの経過時間が所定時間（たとえば、数十秒）に達するまで、第１テスト印刷物Ｐ１の確認を行っている要求ユーザーが第１テスト印刷物Ｐ１の表面を見ていた第１時間と第１テスト印刷物Ｐ１の裏面を見ていた第２時間とを計測する。
【００４９】
このとき、制御部１は、カメラ７で撮影されている第１テスト印刷物Ｐ１の向きを認識する。そして、制御部１は、カメラ７で撮影されている第１テスト印刷物Ｐ１の向きに基づき、第１テスト印刷物Ｐ１の確認を行っている要求ユーザーが第１テスト印刷物Ｐ１の表面を見ているか第１テスト印刷物Ｐ１の裏面を見ているかを判断する（要求ユーザーの行動を判断する）。なお、第１テスト印刷物Ｐ１の表面はランドスケープ形式であるので、第１テスト印刷物Ｐ１の向きが横向きであった場合には、第１テスト印刷物Ｐ１の表面を要求ユーザーが見ているということである。一方で、第１テスト印刷物Ｐ１の裏面はポートレート形式であるので、第１テスト印刷物Ｐ１の向きが縦向きであるということは、第１テスト印刷物Ｐ１の裏面を要求ユーザーが見ているということである。
【００５０】
第１テスト印刷物Ｐ１の確認を行っている要求ユーザーがカメラ７で撮影されてから所定時間が経過すると、制御部１は、第１時間と第２時間とを比較する。その結果、第１時間の方が第２時間よりも長かった場合、制御部１は、ユーザー所望の集約数（要求ユーザーが所望する集約数）が第１集約数であると判断する。第１時間の方が第２時間よりも長かったということは、要求ユーザーにとっては第１テスト印刷物Ｐ１の表面の方が裏面よりも見易かったと予測される。一方で、第２時間の方が第１時間よりも長かった場合、制御部１は、ユーザー所望の集約数が第２集約数であると判断する。第２時間の方が第１時間よりも長かったということは、要求ユーザーにとっては第１テスト印刷物Ｐ１の裏面の方が裏面よりも見易かった（あるいは、第１テスト印刷物Ｐ１の裏面に印刷された集約ページに含まれる各ページのサイズでも問題なかった）と予測される。
【００５１】
集約数判断処理の処理後、ステップＳ４に移行する。ステップＳ４に移行すると、制御部１は、集約数判断処理で判断した集約数を第２テスト印刷で適用する集約数として設定する。以下の説明では、このときに制御部１が設定した集約数（第２テスト印刷で適用する集約数）を適用集約数と称する場合がある。
【００５２】
ここで、要求ユーザーが撮影されていない場合や、要求ユーザーが撮影されていても第１テスト印刷物Ｐ１が撮影されていない場合には、カメラ７が撮影した撮影データからではユーザー所望の集約数を判断できない。したがって、カメラ７が撮影した撮影データからではユーザー所望の集約数を判断できなかった場合、制御部１は、集約数の入力の受け付けを操作パネル４に行わせる。言い換えると、操作パネル４は、第１集約数および第２集約数のいずれを第２テスト印刷の集約数に設定するかを受け付ける。この場合、制御部１は、集約数判断処理として、操作パネル４に入力された集約数をユーザー所望の集約数と判断する処理を行う。そして、制御部１は、操作パネル４に入力された集約数を第２テスト印刷で適用する適用集約数に設定する。
【００５３】
あるいは、カメラ７が撮影した撮影データからではユーザー所望の集約数を判断できなかった場合、ユーザー情報に基づき第２テスト印刷の集約数が設定されてもよい。この場合、制御部１は、要求ユーザーに対応するユーザー情報に基づき、要求ユーザーが第１ユーザーであるか第２ユーザーであるかを認識する。要求ユーザーが第１ユーザーである場合、要求ユーザーによる確認作業を優先するため、制御部１は、集約ページに含まれる各ページのサイズがより大きくなる第１集約数を第２テスト印刷で適用する適用集約数に設定する。要求ユーザーが第２ユーザーである場合、第２テスト印刷の印刷枚数を削減するため、制御部１は、第２集約数を第２テスト印刷で適用する適用集約数に設定する。
【００５４】
また、カメラ７が撮影した撮影データからではユーザー所望の集約数を判断できなかった場合、過去の第２テスト印刷時に設定された集約数の設定履歴を示す履歴情報に基づき今回の第２テスト印刷の集約数が設定されてもよい。履歴情報は画像形成装置１００のユーザーごとに記憶部６に記憶される。制御部１は、第２テスト印刷の集約数を設定するごとに、設定した集約数を記憶部６に記憶させる。
【００５５】
履歴情報を用いる場合、制御部１は、要求ユーザーに対応する履歴情報に基づき、設定回数が最も多い集約数を認識する。そして、制御部１は、当該認識した集約数を第２テスト印刷で適用する適用集約数に設定する。
【００５６】
なお、画像形成装置１００からカメラ７を省略してもよい。この場合、制御部１は、印刷部３による第１テスト印刷が終わると、集約数の入力の受け付け（第１集約数および第２集約数のいずれを第２テスト印刷の集約数に設定するかの受け付け）を操作パネル４に行わせる。そして、制御部１は、集約数判断処理として、操作パネル４に入力された集約数をユーザー所望の集約数と判断する処理を行う。
【００５７】
第２テスト印刷の集約数の設定後、ステップＳ５に移行する。ステップＳ５に移行すると、制御部１は、第２テスト印刷で用紙に印刷する集約ページ（第２テスト印刷用の集約ページ）のページデータを生成する処理を行う。当該処理を行うとき、制御部１は、第２テスト印刷で適用するとして設定した適用集約数（ステップＳ４で設定した集約数）を認識する。そして、制御部１は、印刷対象の印刷データからページ番号順に適用集約数分ずつページを抽出し、抽出した適用集約数分のページを１ページに集約したページを第２テスト印刷用の集約ページとして生成する。印刷対象の印刷データの総ページ数が適用集約数以下である場合には、第２テスト印刷用の集約ページは１ページとなる。印刷対象の印刷データの総ページ数が適用集約数を超える場合には、第２テスト印刷用の集約ページは複数ページとなる。たとえば、適用集約数が「２」である場合、第２テスト印刷用の集約ページの１ページ内に２ページ分の領域が確保される。したがって、印刷データの総ページ数が２ページ以下であれば第２テスト印刷用の集約ページは１ページとなり、印刷データの総ページ数が３ページを超えていれば第２テスト印刷用の集約ページは２ページ以上となる。
【００５８】
第２テスト印刷用の集約ページの生成後、ステップＳ６において、制御部１は、印刷部３に第２テスト印刷を行わせる。このとき、印刷部３は、第２テスト印刷用の集約ページを用紙に印刷する。これにより、図４に示すような印刷物Ｐ２が画像形成装置１００から出力される。以下の説明では、第２テスト印刷で得られる印刷物Ｐ２を第２テスト印刷物Ｐ２と称する。図４では、第２テスト印刷で適用された集約数が「４」であり、印刷対象の印刷ページの総ページ数が１２ページであった場合を図示する。
【００５９】
図２に戻り、印刷部３による第２テスト印刷が終わった後、ステップＳ７に移行する。ステップＳ７に移行すると、制御部１は、印刷対象の印刷データに基づく通常の印刷を開始する開始条件が満たされているか否かを判断する。
【００６０】
このとき、制御部１は、カメラ７が撮影した撮影データに基づき、要求ユーザーが第２テスト印刷物Ｐ２の確認を行っているか否かを判断する。ステップＳ３の集約数判断処理と同様、制御部１は、要求ユーザーに対応する顔画像（要求ユーザーの特徴点）と特徴点が類似するユーザーがカメラ７で撮影されており、かつ、当該ユーザーが用紙（用紙に類似するシート状のもの）を手に取っていれば、要求ユーザーが第２テスト印刷物Ｐ２の確認を行っていると判断する。
【００６１】
要求ユーザーが第２テスト印刷物Ｐ２の確認を行っていると判断すると、制御部１は、カメラ７が撮影した撮影データに基づき要求ユーザーの表情を認識する表情認識処理を行う。そして、制御部１は、表情認識処理の結果に基づき、第２テスト印刷物Ｐ２の出力結果に要求ユーザーが満足しているか否かを判断する。なお、制御部１による表情認識処理では、公知の笑顔検出技術と同様の技術が用いられる。
【００６２】
たとえば、制御部１は、カメラ７が撮影した撮影データから、顔の輪郭、目、眉、鼻および口など要求ユーザーの顔を成すパーツである顔パーツを検出し、当該検出した顔パーツの配置パターンに基づき、要求ユーザーの表情が不満足に対応する表情であるかを認識する。不満足に対応する表情であると認識すべき顔パーツの配置パターンを示す認識基準情報は予め記憶部６に記憶され、認識基準情報で示される配置パターンと要求ユーザーの顔パーツの配置パターンとの類似度が予め定められた閾値以上であれば、要求ユーザーの表情が不満足に対応する表情であると制御部１は認識する。そして、制御部１は、要求ユーザーの表情が不満足に対応する表情でなければ、開始条件を満たしていると判断し、要求ユーザーの表情が不満足に対応する表情であれば、開始条件を満たしていないと判断する。
【００６３】
なお、制御部１による集約数判断処理（ステップＳ３の処理）において、要求ユーザーの表情に基づき、ユーザー所望の集約数（要求ユーザーが所望する集約数）が判断されてもよい。この場合、制御部１は、第１テスト印刷物Ｐ１の表裏面のうち、表面を見ていたときの要求ユーザーの表情が不満足に対応する表情ではなく、裏面を見ていたときの要求ユーザーの表情が不満足に対応する表情であれば、ユーザー所望の集約数が第１集約数であると判断する。一方で、制御部１は、第１テスト印刷物Ｐ１の表裏面のうち、表面を見ていたときの要求ユーザーの表情が不満足に対応する表情であり、裏面を見ていたときの要求ユーザーの表情が不満足に対応する表情でなければ、ユーザー所望の集約数が第２集約数であると判断する。
【００６４】
別の方法として、要求ユーザーの行動に基づき、第２テスト印刷物Ｐ２の出力結果に要求ユーザーが満足しているか否かの判断が行われてもよい。たとえば、制御部１は、眼鏡をかけたり外したりする行動（要求ユーザーの行動）を検出した場合、第２テスト印刷物Ｐ２の出力結果に要求ユーザーが満足していない（開始条件を満たしていない）と判断する。当該行動を制御部１が検出しなければ、第２テスト印刷物Ｐ２の出力結果に要求ユーザーが満足している（開始条件を満たしている）と判断される。
【００６５】
また、制御部１は、眼前に対して用紙（用紙に類似するシート状のもの）を近づけたり離したりする行動（要求ユーザーの行動）を検出した場合、第２テスト印刷物Ｐ２の出力結果に要求ユーザーが満足していない（開始条件を満たしていない）と判断する。当該行動を制御部１が検出しなければ、第２テスト印刷物Ｐ２の出力結果に要求ユーザーが満足している（開始条件を満たしている）と判断される。
【００６６】
画像形成装置１００にカメラ７が設置されていない場合、制御部１は、印刷部３による第２テスト印刷が終わると、第２テスト印刷物Ｐ２の出力結果に満足しているか否かの受け付けを操作パネル４に行わせる。このとき、操作パネル４は、たとえば、確定ボタン（ソフトウェアボタン）およびキャンセルボタン（ソフトウェアボタン）を表示し、いずれかのボタンに対する操作を要求ユーザーから受け付ける。制御部１は、確定ボタンに対する操作を検知すると、第２テスト印刷物Ｐ２の出力結果に要求ユーザーが満足している（開始条件を満たしている）と判断し、キャンセルボタンに対する操作を検知すると、第２テスト印刷物Ｐ２の出力結果に要求ユーザーが満足していない（開始条件を満たしていない）と判断する。
【００６７】
ステップＳ７において、開始条件を満たしていると制御部１が判断した場合には、ステップＳ８に移行する。ステップＳ８に移行すると、制御部１は、印刷部３に指示し、印刷対象の印刷データに基づく通常の印刷（本番の印刷）を開始させる。一方で、ステップＳ７において、開始条件を満たしていないと制御部１が判断した場合には、通常の印刷は開始されずキャンセルされ、本フローは終了する。
【００６８】
本実施形態の構成では、テスト印刷として、第１テスト印刷および第２テスト印刷が行われる。第１テスト印刷が終わると、要求ユーザーが所望する集約数（ユーザー所望の集約数）を判断する集約数判断処理が行われ、第２テスト印刷の集約数がユーザー所望の集約数に設定される。このため、第２テスト印刷物Ｐ２の文字などのサイズ（１ページに集約された各ページのサイズ）が要求ユーザーの意図よりも小さくなり過ぎることはない。これにより、テスト印刷を行ったにもかかわらず、テスト印刷で得られた印刷物の出力結果が要求ユーザーにとって判別し難くなる、という不都合が生じるのを抑制することができる。すなわち、事前確認を効率的に行えないという不都合が生じるのを抑制することができる（第２テスト印刷物Ｐ２の出力結果を基に事前確認を行えばよい）。
【００６９】
また、本発明の構成では、用紙の第１面に第１ページを印刷し用紙の第２面に第２ページを印刷する両面印刷が第１テスト印刷として行われるので、用紙の消費量が増大するのを抑制することができる。
【００７０】
また、本実施形態では、上記のように、制御部１は、印刷部３に第１テスト印刷を行わせるとき、印刷データから所定条件を満たす条件充足ページを抽出し、第１集約数分の条件充足ページを１ページに集約した表面用ページ（第１ページ）および第２集約数分の条件充足ページを１ページに集約した裏面用ページ（第２ページ）を生成する。これにより、出力結果の判別が困難になり易いページ（図形ページ、多文字ページおよび小文字ページ）が印刷された用紙が第１テスト印刷物Ｐ１として出力される。したがって、第２テスト印刷の集約数を要求ユーザーが所望する集約数に設定したにもかかわらず、第２テスト印刷物Ｐ２の出力結果が要求ユーザーにとって判別し難くなるという不都合が生じるのを抑制することができる。
【００７１】
また、本実施形態では、上記のように、制御部１は、第１テスト印刷が終わった後、第１テスト印刷物Ｐ１の確認を行っている要求ユーザーがカメラ７で撮影されると、第１テスト印刷物Ｐ１の確認を行っている要求ユーザーの表情または行動を認識し、当該認識した結果に基づき要求ユーザーが所望する集約数を判断する処理を集約数判断処理として行う。これにより、要求ユーザーからすると、第１テスト印刷物Ｐ１の確認を行うだけで（操作パネル４を操作しなくても）、第２テスト印刷の集約数が所望の集約数に設定されるので、利便性が良い。
【００７２】
また、本実施形態では、上記のように、制御部１は、第１テスト印刷物Ｐ１の確認を行っている要求ユーザーがカメラ７で撮影されてからの経過時間が所定時間に達するまで、第１テスト印刷物Ｐ１の確認を行っている要求ユーザーが第１テスト印刷物Ｐ１の表面（第１面）を見ていた第１時間と第１テスト印刷物Ｐ１の裏面（第２面）を見ていた第２時間とを計測し、第１時間の方が第２時間よりも長かった場合には要求ユーザーが所望する集約数が第１集約数であると判断する一方、第２時間の方が第１時間よりも長かった場合には要求ユーザーが所望する集約数が第２集約数であると判断する。これにより、制御部１による集約数判断処理の結果の信頼性を高くすることができる。
【００７３】
また、本実施形態では、上記のように、制御部１は、カメラ７で撮影されている第１テスト印刷物Ｐ１の向きを認識し、第１テスト印刷物Ｐ１の向きに基づき、第１テスト印刷物Ｐ１の確認を行っている要求ユーザーが第１テスト印刷物Ｐ１の表面（第１面）を見ているか第１テスト印刷物Ｐ１の裏面（第２面）を見ているかを判断する。これにより、要求ユーザーが第１テスト印刷物Ｐ１の表面を見ているにもかかわらず第１テスト印刷物Ｐ１の裏面を見ていると判断されたり、要求ユーザーが第１テスト印刷物Ｐ１の裏面を見ているにもかかわらず第１テスト印刷物Ｐ１の表面を見ていると判断されたりするのを抑制することができる。
【００７４】
また、本実施形態では、上記のように、制御部１は、カメラ７が撮影した撮影データからでは要求ユーザーが所望する集約数を判断できなかったとき、集約数の入力の受け付けを操作パネル４に行わせ、操作パネル４に入力された集約数を第２テスト印刷の集約数に設定する。これにより、カメラ７が撮影した撮影データからでは要求ユーザーが所望する集約数を判断できなかったとしても、要求ユーザーが所望する集約数を第２テスト印刷の集約数に設定することができる。
【００７５】
また、本実施形態では、上記のように、制御部１は、要求ユーザーに対応する特徴点に基づき第１テスト印刷物Ｐ１の確認を行っているユーザーが要求ユーザーであると判断した場合にのみ集約数判断処理を行う。これにより、要求ユーザーが所望する集約数とは異なる集約数が第２テスト印刷の集約数として設定されるのを抑制することができる。
【００７６】
また、本実施形態では、上記のように、制御部１は、第２テスト印刷が終わった後、印刷データに基づく通常の印刷を開始する開始条件を満たしているか否かを判断し、開始条件を満たしていると判断したとき、印刷部３に通常の印刷を開始させる一方、開始条件を満たしていないと判断したとき、印刷部３に通常の印刷を開始させない。なお、制御部１は、第２テスト印刷物Ｐ２の出力結果に要求ユーザーが満足していると判断した場合に開始条件を満たしていると判断し、第２テスト印刷物Ｐ２の出力結果に要求ユーザーが満足していないと判断した場合に開始条件を満たしていないと判断する。これにより、テスト印刷の結果に満足している場合には、自動的に通常の印刷（本番の印刷）が開始されるので、要求ユーザーにとっては利便性が良い。
【００７７】
＜再設定受付処理＞
制御部１は、印刷対象の印刷データに基づく通常の印刷を集約モードで印刷部３に行わせているとき、印刷を停止する停止条件が満たされたか否かを判断する。そして、制御部１は、停止条件が満たされたと判断すると、集約モードに関する設定値（集約数）の再設定を要求ユーザーから受け付ける再設定受付処理を行う。
【００７８】
以下に、図５に示すフローチャートを参照し、制御部１により行われる再設定受付処理の流れを説明する。図５に示すフローチャートは、印刷対象の印刷データに基づく通常の印刷を印刷部３が集約モードで開始したときにスタートする。通常の印刷の前にテスト印刷が行われたか否かにかかわらず、通常の印刷の印刷モードが集約モードであれば、図５に示すフローチャートがスタートする。なお、通常の印刷の印刷枚数が１枚である場合には、制御部１による再設定処理は行われない。
【００７９】
ステップＳ１１において、制御部１は、通常の印刷で得られた印刷物である通常印刷物が画像形成装置１００から少なくとも１枚出力されたか否か（通常印刷物が排出トレイに排出されたか否か）を判断する。その結果、通常印刷物が排出されたと制御部１が判断した場合には、ステップＳ１２に移行し、通常印刷物が未だ１枚も排出されていないと制御部１が判断した場合には、ステップＳ１１の処理が繰り返される。
【００８０】
ステップＳ１２に移行すると、制御部１は、カメラ７が撮影した撮影データに基づき、要求ユーザーが通常印刷物の確認を行っているか否かを判断する。ステップＳ３の集約数判断処理と同様、制御部１は、要求ユーザーに対応する顔画像（要求ユーザーの特徴点）と特徴点が類似するユーザーがカメラ７で撮影されており、かつ、当該ユーザーが用紙（用紙に類似するシート状のもの）を手に取っていれば、要求ユーザーが通常印刷物の確認を行っていると判断する。
【００８１】
ステップＳ１２において、通常印刷物の確認を要求ユーザーが行っていないと制御部１が判断した場合には、ステップＳ１３に移行する。なお、カメラ７でユーザーが撮影されていない場合や、カメラ７でユーザーが撮影されていても当該ユーザーが要求ユーザーではない場合にも、ステップＳ１３に移行する。
【００８２】
ステップＳ１３に移行すると、制御部１は、印刷部３による通常の印刷が完了したか否かを判断する。その結果、通常の印刷が完了したと制御部１が判断した場合には、本フローは終了し、通常の印刷が完了していないと制御部１が判断した場合には、ステップＳ１２に移行する。
【００８３】
ステップＳ１２において、通常印刷物の確認を要求ユーザーが行っていると制御部１が判断した場合には、ステップＳ１４に移行する。ステップＳ１４に移行すると、制御部１は、通常印刷物の出力結果に要求ユーザーが満足しているか否かを判断する。たとえば、制御部１は、開始条件を満たすか否かの判断時に行う処理（ステップＳ７の処理）と同様の処理（要求ユーザーの表情や行動を認識する処理）を行うことにより、通常印刷物の出力結果に要求ユーザーが満足しているか否かを判断する。その結果、通常印刷物の出力結果に要求ユーザーが満足していると制御部１が判断した場合には、ステップＳ１３に移行し、通常印刷物の出力結果に要求ユーザーが満足していないと制御部１が判断した場合には、ステップＳ１５に移行する。
【００８４】
ステップＳ１５に移行すると、制御部１は、印刷部３による通常の印刷を一時停止させる。たとえば、印刷部３は、現在処理中の用紙への印刷が完了してから、通常の印刷を一時停止する。
【００８５】
通常の印刷の一時停止後、ステップＳ１６において、制御部１は、予め定められた複数の集約数（印刷条件として設定可能な集約数）からユーザー指定の集約数の入力受付を操作パネル４に行わせる。
【００８６】
このとき、制御部１は、印刷対象の印刷データからサイズが最も小さい文字を対象文字として認識する。そして、制御部１は、集約モードで印刷を行った場合に用紙に印刷される対象文字のサイズを複数の集約数（印刷条件として設定可能な集約数）のそれぞれごとに求め、当該求めた各サイズにそれぞれ対応する複数の対象文字のプレビュー画像Ｇ（図６参照）を生成して操作パネル４に表示させる。また、制御部１は、集約モードではない通常モード（集約数を「１」に設定して印刷を行うモード）で印刷を行った場合に用紙に印刷される対象文字のサイズ（通常サイズ）も求め、通常サイズに対応する対象文字のプレビュー画像Ｇ（図６参照）も生成して操作パネル４に表示させる。なお、操作パネル４には、対象文字が実物大で表示される。
【００８７】
操作パネル４は、ユーザー指定の集約数の入力を受け付けるとき、図６に示すような受付画面４０を表示する。図６には、印刷条件として設定可能な集約数が３つある場合の受付画面４０を図示する。たとえば、「２（２ｉｎ１）」、「４（４ｉｎ１）」および「６（６ｉｎ１）」の３つが集約数として設定可能であるとする。
【００８８】
図６では、対象文字を「ａ」で示す。また、図６では、２ｉｎ１のサイズに対応するプレビュー画像Ｇに符号ＧＡを付し、４ｉｎ１のサイズに対応するプレビュー画像Ｇに符号ＧＢを付し、６ｉｎ１のサイズに対応するプレビュー画像Ｇに符号ＧＣを付す。また、通常サイズに対応するプレビュー画像Ｇに符号ＧＮを付す。
【００８９】
操作パネル４は、受付画面４０のいずれかのプレビュー画像Ｇの表示領域をタッチする操作を指定操作として受け付ける。制御部１は、操作パネル４が指定操作を受け付けると、指定操作を受けたプレビュー画像Ｇに対応する集約数をユーザー指定の集約数として認識する。すなわち、ユーザーは指定操作を行うことにより、指定操作でタッチしたプレビュー画像Ｇに対応する集約数をユーザー指定の集約数として操作パネル４に入力することができる。
【００９０】
図５に戻り、ユーザー指定の集約数の入力受付後、ステップＳ１７に移行する。ステップＳ１７に移行すると、制御部１は、印刷部３に行わせる通常の印刷の集約数をユーザー指定の集約数に変更する。なお、通常サイズに対応するプレビュー画像ＧＮに対して指定操作が行われた場合、すなわち、操作パネル４に入力された集約数（ユーザー指定の集約数）が「１」であった場合には、通常の印刷の集約数が「１」に変更される。この場合には、通常の印刷の印刷モードが集約モードから通常モードに変更される。
【００９１】
また、ステップＳ１８において、制御部１は、一時停止させた通常の印刷を最初から再開するか未印刷ページから再開するかの設定（印刷再開に関する設定）の受け付けを操作パネル４に行わせる。そして、ステップＳ１９において、制御部１は、印刷部３に通常の印刷を再開させる。このとき、通常の印刷を最初から再開する旨の設定を受け付けていた場合、印刷部３は、通常の印刷を最初から再開する。一方で、通常の印刷を未印刷ページから再開する旨の設定を受け付けていた場合、印刷部３は、通常の印刷を未印刷ページから再開する。
【００９２】
本実施形態の構成では、上記のように、通常の印刷が集約モードで行われているとき、通常印刷物の確認を行っているユーザーが通常印刷物の出力結果に満足していなければ、通常の印刷が一時停止される。これにより、出力結果にユーザーが満足していないにもかかわらず印刷が続行されるのを抑制することができる。
【００９３】
また、本実施形態では、上記のように、制御部１は、印刷部３による通常の印刷を一時停止させたとき、ユーザー指定の集約数の入力の受け付けを操作パネル４に行わせ、印刷部３に行わせる通常の印刷の集約数をユーザー指定の集約数に変更する。これにより、通常の印刷の途中で集約数を変更することができるので、ユーザーの利便性が向上する。
【００９４】
また、本実施形態では、上記のように、制御部１は、操作パネル４に受付画面４０を表示させる。これにより、実物大の文字を確認しながら集約数を再設定することができるので、ユーザーの利便性が向上する。
【００９５】
また、本実施形態では、上記のように、制御部１は、一時停止させた通常の印刷を最初から再開するか未印刷ページから再開するかの設定の受け付けを操作パネル４に行わせる。これにより、通常の印刷を最初から再開することもできるし、通常の印刷を未印刷ページから再開することもできるので、ユーザーの利便性が向上する。
【００９６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９７】
１  制御部
３  印刷部
４  操作パネル
６  記憶部
７  カメラ
１００  画像形成装置
【図１】
2019171775.tif 000003
【図２】
2019171775.tif 000004
【図３】
2019171775.tif 000005
【図４】
2019171775.tif 000006
【図５】
2019171775.tif 000007
【図６】
2019171775.tif 000008